(57)【特許請求の範囲】
【請求項１】
布基材を熱成形して、同心円状の複数のコルゲーション（２）を設けたダンパー本体（１Ａ）の一方の面（ａ）に、前記コルゲーション（２）の形状に沿わせて、ダンパー本体（１Ａ）の外周端（３）と内周端（４）とを結ぶ方向に錦糸線を装着したスピーカ用ダンパーにおいて、前記錦糸線は丸編の錦糸線（５）からなり、かつダンパー本体（１Ａ）と丸編錦糸線（５）との間に設けた帯状のポリウレタン（６）の熱融着により一体化されてなることを特徴とするスピーカ用ダンパー。
【請求項２】
錦糸線は、中心糸４０番手単糸または２本撚りのメタ系アラミド繊維に母線径０．１０ｍｍ以下の銅線を線径の１／４以下に圧延した銅箔を巻き付けた単位錦糸線を４〜１６本集合し織りピッチを１５．２±０．７６ｍｍ／回とし、加熱加圧時に錦糸線にダメージを与えにくい構造の丸編とした丸編錦糸線（５）からなることを特徴とする請求項１記載のスピーカ用ダンパー。
【請求項３】
錦糸線は、中心糸４０番手単糸または２本撚りのメタ系アラミド繊維に母線径０．１０ｍｍ以下の銅線を線径の１／４以下に圧廷した銅箔を巻き付けた単位錦糸線を４本から１６本のうちナイロン糸１本または複数本を集合し、なおかつ織りピッチを１５．２±０．７６ｍｍ／回とし、加熱加圧時に錦糸線にダメージを与えない構造の丸編とした丸編錦糸線（５）からなることを特徴とする請求項１記載のスピーカ用ダンパー。
【請求項４】
請求項１、２または３に記載のスピーカ用ダンパーに係る製造方法において、布基材にフェノール樹脂の如き熱硬化性樹脂を含浸した後、一方の金型上に載置し、この布基材の上に帯状のポリウレタン（６）を載置し、さらにこの帯状のポリウレタン（６）の上に長手方向に沿って丸編錦糸線（５）を載置し、もう一方の金型を押下し加熱加圧成形することにより、同心円状のコルゲーション（２）を有するダンパー本体（１Ａ）を形成すると同時に、ポリウレタン（６）の融着により丸編錦糸線（５）をダンパー本体（１Ａ）に一体化することを特徴とするスピーカ用ダンパーの製造方法。
【請求項５】
ポリウレタン（６）は軟質ポリウレタンフォームであることを特徴とする請求項４記載のスピーカ用ダンパーの製造方法。
【発明の詳細な説明】
【０００１】
【発明の属する技術分野】
この発明は、各種音響機器として使用されるスピーカの構成部材であるダンパー、さらに詳しくはその面上に錦糸線を装着一体化したスピーカ用ダンパーおよびその製造方法に関する。
【０００２】
【従来の技術】
一般にスピーカのボイスコイルはダンパーを介し振動可能に支持されている。
【０００３】
また、ボイスコイルのリード線とスピーカの入力端子とは錦糸線によって接続されており、この錦糸線は、通常、振動板とダンパーとの間の空間に配されるので、動作時に揺動して振動板やダンパーに当たって異常音を発生する等の問題があり、スピーカの小型化、薄型化が進むとこの傾向はより顕著となってくる。
【０００４】
この問題を解決するために、最近では接着や縫着等の手段により、ダンパーに錦糸線を装着し一体化したものが提供されている。
【０００５】
この先行例としては、例えば特開平２−１３４１００号が存在する。このスピーカ用ダンパーは、錦糸線に相当する導電部材をダンパー素材に縫着した構成となっている。
【０００６】
また、他の先行例としては、実開平４−７１０９９号が存在する。この先行例では、ダンパーにウレタン系発泡樹脂からなる軽量発泡体を接着固定し、この軽量発泡体に錦糸線を装着する構成としている。
【０００７】
【発明が解決しようとする課題】
しかしながら、前者の特開平２−１３４１００号においては、コルゲーションの形状に沿わせて内周部から外周部に導電部材をミシンと糸とを用いて縫い付けるため、作業が煩雑であり、生産性が悪く、動作時の追従性も悪いという課題があった。
【０００８】
また、後者の実開平４−７１０９９号では、軽量発泡体をダンパーに接着する工程と軽量発泡体上に錦糸線を装着する工程とが必要であるため、作業が煩雑であるうえに、ダンパーのコルゲーションの山の上に軽量発泡体が重ねて装着されるため、この部分の厚みが大幅に増加してしまい、スピーカの薄型化のニーズには応えられないという課題があった。
【０００９】
この発明は上記のことに鑑み提案されたもので、その目的とするところは、製造を容易とし、追従性にも優れ、スピーカの薄型化にも適した、錦糸線装着スピーカ用ダンパーおよびその製造方法を提供することにある。
【００１０】
【課題を解決するための手段】
この発明は、布基材を熱成形して、同心円状の複数のコルゲーション２を設けたダンパー本体１Ａの一方の面ａに、前記コルゲーション２の形状に沿わせて、ダンパー本体１Ａの外周端３と内周端４とを結ぶ方向に錦糸線を装着したスピーカ用ダンパーにおいて、前記錦糸線は丸編の錦糸線５からなり、かつダンパー本体１Ａと丸編錦糸線５との間に設けた帯状のポリウレタン６の熱融着により一体化する構成とし、上記目的を達成している。
【００１１】
また、錦糸線は、中心糸４０番手単糸または２本撚りのメタ系アラミド繊維に母線径０．１０ｍｍ以下の銅線を線径の１／４以下に圧延した銅箔を巻き付けた単位錦糸線を４〜１６本集合し織りピッチを１５．２±０．７６ｍｍ／回とし、加熱加圧時に錦糸線にダメージを与えにくい構造の丸編とした丸編錦糸線５を用いることにより、上記目的を達成している。
【００１２】
また、錦糸線は、中心糸４０番手単糸または２本撚りのメタ系アラミド繊維に母線径０．１０ｍｍ以下の銅線を線径の１／４以下に圧廷した銅箔を巻き付けた単位錦糸線を４本から１６本のうちナイロン糸１本又は複数本を集合し、なおかつ織りピッチを１５．２±０．７６ｍｍ／回とし、加熱加圧時に錦糸線にダメージを与えない構造の丸編とした丸編錦糸線（５）を用いることにより、上記目的を達成している。
【００１３】
さらに、上記スピーカ用ダンパーは、布基材にフェノール樹脂の如き熱硬化性樹脂を含浸した後、一方の金型上に載置し、この布基材の上に帯状のポリウレタン６を載置し、さらにこの帯状のポリウレタン６の上に長手方向に沿って丸編錦糸線５を載置し、もう一方の金型を押下し加熱加圧成形することにより、同心円状のコルゲーション２を有するダンパー本体１Ａを形成すると同時に、ポリウレタン６の融着により丸編錦糸線５をダンパー本体１Ａに一体化して製造するようにし、かつこの場合に用いるポリウレタン６としては、軟質ポリウレタンフォームとしたことに特徴を有している。
【００１４】
【発明の実施の形態】
図１は本発明にかかるスピーカ用ダンパーの第１実施例の斜視図である。このダンパー１は、リング状をなし、同心円状の複数のコルゲーション２が形成されたダンパー本体１Ａの一方の面ａ上に、波状をなすコルゲーション２の形状に沿わせてダンパー本体１Ａの外周端３から内周端４にかけて一対の丸編錦糸線５が帯状のポリウレタン６を介し配置され、このポリウレタン６は軟質ポリウレタンフォームからなり、その融着によって丸編錦糸線５とダンパー本体１Ａとは一体化されている。すなわち、これらはダンパー成形時に一体化され、ポリウレタン６も丸編錦糸線５もコルゲーションの凹凸に沿った形でダンパー本体１Ａに密着している。
【００１５】
このダンパー基材としては、木綿繊維、アクリル繊維、ポリエステル繊維、アラミド繊維等の単独または混紡からなる織布が用いられる。
【００１６】
また、ポリウレタン６として軟質ポリウレタンフォームを用いているのは、この軟質ポリウレタンフォームは材質が柔らかく、布素材とのマッチングもよく、追従性を損なうことがなく、熱成形時の融着により丸編錦糸線５をダンパー本体１Ａに強固に一体化することができ、成形が容易であるからである。
【００１７】
また、丸編錦糸線５としては、中心糸４０番手単糸または２本撚りのメタ系アラミド繊維に母線径０．１０ｍ以下の銅線を線径の１／４以下に圧延した銅箔を巻き付けた単位錦糸線を４〜１６本集合し織りピッチを１５．２±０．７６ｍｍ／回とし、加熱加圧時に錦糸線にダメージを与えにくい構造の丸編としたものを用いている。
【００１８】
すなわち、従来の丸編錦糸線は、例えば中心糸４０番手２本撚りのメタ系アラミド繊維に母線径０．１０ｍｍ程度の銅線を圧延してなる銅箔を巻き付けた単位錦糸線１２本を８．５ｍｍ／回程度のピッチで編んで構成され、このものは、編組みのピッチが密であるために、加熱加圧時に錦糸線にダメージを与えるという問題があり、また、これを防止するために金型のクリアランスを広くとると融着後の接着強度が充分得られなかったり、所望のダンパー特性を得られないという欠点があった。
【００１９】
これに対し、本発明では単位錦糸線を粗いピッチで編んだ特殊な丸編錦糸線５を用いている。
【００２０】
すなわち、本発明での錦糸線は、上述のように、中心糸４０番手単糸または２本撚りのメタ系アラミド繊維に母線径０．１０ｍｍ以下の銅線を線径の１／４以下に圧延した銅箔を巻き付けた単位錦糸線を４〜１６本集合し織りピッチを１５．２±０．７６ｍｍ／回とし、加熱加圧時に錦糸線にダメージを与えにくい構造の丸編とした丸編錦糸線（５）を用いており、織りピッチを粗くして集合させているため、加圧加工時に破断が生じにくく、押しつぶれ易く、また、径が偏平になり薄くし易いので、成形時の金型ギャップとダンパー布材との密着性が向上し、コルゲーション２の形状が安定してダンパー１としての性能を損なうことがない。さらに丸編錦糸線５の厚さが薄いと振動による屈曲性能が向上するため、耐久性も改善される。
【００２１】
この丸編錦糸線５は上述のように、従来使用されているものより、織りピッチを粗くし、押しつぶれ易く、薄くできる構造を採用しているので、屈曲性に富み、ダンパー性能を損なうことがなく、良好な性能を得ることができる。
【００２２】
しかして、一対の丸編錦糸線５は、第１実施例では、図示のように、リング状のダンパー本体１Ａの外周の一端から他端にかけて直径方向に一連に設けられ、これに伴って一対の帯状のポリウレタン６も同様にして直径方向にそれぞれ設けられている。
【００２３】
このように直径方向に一連に設けたのは、生産性が良く、かつ振動バランスも良いためである。
【００２４】
しかしながら、実際の使用に際しては、一部の特殊な例を除いては、ダンパー本体１Ａの開口部７の内周端４からダンパー本体１Ａの外周端３に向かって延びる何れか一方の半径部分側のものが用いられる。
【００２５】
すなわち、図２は各丸編錦糸線５を端子板１２の各端子接続部１３に接続した一使用例の斜視図を示し、左側の半径部分側を用いた例を示す。
【００２６】
図２において、ダンパー本体１Ａの内側の開口部７の周縁部、つまりダンパー本体１Ａの内周端４は円筒状のボビン１０の外周部に接着剤を介し結合される。また、何れか一方の半径部分側に設けられた各丸編錦糸線５の内端部はボイスコイル１１の巻始め、巻終わりの引出線（図示せず）にそれぞれ電気的に接続される。
【００２７】
丸編錦糸線５の外端部は端子板１２の端子接続部１３に接続される。
【００２８】
なお、端子板１２は、周知のように、ほぼ矩形をなす絶縁性のラグ板１４と、このラグ板１４に設けられた一対の端子１３ａとを備え、端子板１２はスピーカを構成するフレーム（図示せず）に固着される。
【００２９】
また、ボビン１０には振動板（図示せず）が結合され、かつダンパー本体１Ａの外周部はフレームに結合されるものである。
【００３０】
次に上記構成のダンパー本体１Ａの製造方法について説明する。
【００３１】
まず、木綿繊維等の如き布からなる所定形状の布基材にフェノール樹脂の如き熱硬化性樹脂を含浸する。その後、一方の金型（図示せず）上にそれぞれ載置し、この布基材の上に帯状のポリウレタン６を載置し、さらにこの帯状のポリウレタン６の上に長手方向に沿って一対の丸編錦糸線５を載置し、もう一方の金型（図示せず）を押下し加熱加圧成形することにより、同心円状のコルゲーション２を有するダンパー本体１Ａを形成すると同時に、ポリウレタン６の融着により丸編錦糸線５をダンパー本体１Ａに容易に一体化し得、上記した本発明にかかるダンパー１を製造することができる。
【００３２】
なお、上記実施例の応用例として、錦糸線にナイロン糸を混入すると、錦糸線の接着強度、耐久性を向上させることができる。
【００３３】
すなわち、この場合の錦糸線は、中心糸４０番手単糸または２本撚りのメタ系アラミド繊維に母線径０．１０ｍｍ以下の銅線を線径の１／４以下に圧廷した銅箔を巻き付けた単位錦糸線を４本から１６本のうちナイロン糸１本または複数本を集合し、なおかつ織りピッチを１５．２±０．７６ｍｍ／回とし、加熱加圧時に錦糸線にダメージを与えない構造の丸編とした丸編み構造としている。
【００３４】
このものによれば、加熱加圧成形時、ナイロン糸が溶融し錦糸線にダメージを与えにくく、また、ナイロン糸がバインダーとして融着するため、糸同志および錦糸線とポリウレタン６間の結合状態が強固になり、耐久性が向上する。
【００３５】
図３は本発明の第２実施例の斜視図を示す。
【００３６】
この実施例では、帯状のポリウレタン６および一対の丸編錦糸線５を、リング状のダンパー本体１Ａの一方の面ａの一方の半径部分側にのみ設けた点に特徴を有している。
【００３７】
この場合、第１実施例に比べ、ポリウレタン６と丸編錦糸線５との材料が半分ですむため、その分、材料費を節約し得る。
【００３８】
なお、その他の構成および製造方法は基本的に第１実施例と同様である。
【００３９】
図４は本発明の第３実施例を斜視図を示す。
【００４０】
この実施例では、端子板の形状などに対応すべく、帯状のポリウレタン６および一対の丸編錦糸線５を、ダンパー本体１Ａの一方の面ａの半径部分において、内周端４から外周端３に向かって、ほぼハの字状に広がるように設けた点に特徴を有している。
【００４１】
他の構成などは第１実施例と同様である。
【００４２】
【発明の効果】
以上のように本発明によれば、丸編錦糸線５はいちいちダンパー本体１Ａに縫いつける必要がなく、ポリウレタン６を介しダンパー本体１Ａに一体化できるため、製造が容易であり、かつ線の織りピッチを粗く集合させているため、加圧加工時に破断が生じにくく、変形性、密着性も良く、この面からも製造性に優れている。
【００４３】
また、本発明の丸編錦糸線５は、加熱加圧成形時に容易に変形させ易く、かつダンパー本体に対し密着性が良いため、コルゲーション２の形状に沿ってダンパー本体１Ａ上に設けることができ、追従性に優れ、スピーカの薄型化に適したダンパー１を得ることができる。
【図面の簡単な説明】
【図１】本発明の第１実施例の斜視図を示す。
【図２】本発明の第１実施例のものを端子板に接続した状態を示す。
【図３】本発明の第２実施例の平面図を示す。
【図４】本発明の第３実施例の平面図を示す。
【符号の説明】
１    ダンパー
１Ａ  ダンパー本体
２    コルゲーション
３    外周端
４    内周端
５    丸編錦糸線
６    ポリウレタン
７    開口部
１０    ボビン
１１    ボイスコイル
１２    端子板
１３    端子接続部
１３ａ  端子
１４    ラグ板
ａ    一方の面
【図１】
0003751445.tif 000002
【図２】
0003751445.tif 000003
【図３】
0003751445.tif 000004
【図４】
0003751445.tif 000005